(57)【要約】【課題】主に、フィルタ部材を有効に支持し得るようにする。【解決手段】空気取込部４と送風部５とが上下に設置され、フィルタ部材６が、空気取込部４の内部に設置された車両用空調装置に関する。  上記フィルタ部材６の下方に、フィルタ部材６の下面側を支持可能なフィルタ支持部２１が設けられるようにする。  このフィルタ支持部２１が、少なくともその一部に、側面視で上記フィルタ部材６の下面側へ向けて上がり勾配に傾斜する傾斜形状部２２を有するものとされる。【選択図】図４
2014231296.tif 000002
【特許請求の範囲】
【請求項１】
空調装置本体の入側に、空調用空気を取込む空気取込部と、
該空気取込部から取込んだ空調用空気を下流側へ送風する送風部と、が上下に設置されると共に、
空調用空気を浄化するフィルタ部材が、前記空気取込部の内部に設置された車両用空調装置において、
前記フィルタ部材の下方に、フィルタ部材の下面側を支持可能なフィルタ支持部が設けられ、
該フィルタ支持部が、少なくともその一部に、側面視で前記フィルタ部材の下面側へ向けて上がり勾配に傾斜する傾斜形状部を有するものとされたことを特徴とする車両用空調装置。
【請求項２】
前記フィルタ部材が、一方向へ延びる凹凸形状部を有するものとされると共に、
前記フィルタ支持部は、前記傾斜形状部の上縁部が、前記フィルタ部材の凹凸形状部の延設方向に対して、直交する方向に並設されたことを特徴とする請求項１に記載の車両用空調装置。
【請求項３】
前記フィルタ支持部が、平面視で格子状のものとされたことを特徴とする請求項１または請求項２に記載の車両用空調装置。
【請求項４】
前記、フィルタ支持部が、前記空気取込部の内部に設けられたことを特徴とする請求項１ないし請求項３のいずれか１項に記載の車両用空調装置。
【請求項５】
前記空気取込部が左右に分割され、前記フィルタ支持部も左右に分割されると共に、
フィルタ支持部の分割部分に、互いに当接状態で嵌合可能な補強桟部が設けられたことを特徴とする請求項１ないし請求項４のいずれか１項に記載の車両用空調装置。
【請求項６】
前記空気取込部に、前記フィルタ部材の下面を、前記フィルタ支持部から浮かせた状態で保持可能な第二フィルタ支持部を設けたことを特徴とする請求項１ないし請求項５のいずれか１項に記載の車両用空調装置。
【発明の詳細な説明】
【技術分野】
【０００１】
この発明は、車両用空調装置に関するものである。
【背景技術】
【０００２】
自動車などの車両には、車室内の温度を調整するために、空調装置（車両用空調装置）が設けられている。
【０００３】
このような空調装置は、空調装置本体の入側に、空調用空気を取込むための空気取込部と、この空気取込部から取込んだ空調用空気を下流側へ送るための送風部とを、それぞれ有している。そして、これら（空気取込部および送風部）を上下に配置するようにしたものが存在している。
【０００４】
そして、上記した空気取込部の内部に対して、空気取込部から取込んだ空調用空気を浄化するためのフィルタ部材を設置したものなども存在している（例えば、特許文献１参照）。
【０００５】
このようなフィルタ部材には、経年劣化などによる変形を防止するための手段が必要になるため、フィルタ部材をフィルタケースに収容して保持させるなどの対策を取るようにしていたが、フィルタケースは、重量増加やコストアップなどの要因となるので、特許文献１では、フィルタケースを廃止して、その代りに、上記した送風部の上部に、矩形状をしたフィルタ部材の対角線方向などへ延びる十字状のフィルタ支持部材を設けて、空気取込部内に設けられたフィルタ部材を、送風部に設けられた十字状のフィルタ支持部材によって下面側から支持させるようにしていた。
【０００６】
この十字状のフィルタ支持部材は、フィルタ部材の下面と平行な上縁部によって、フィルタ部材の下面を線接触状態で直接当接支持させるものとされている。
【先行技術文献】
【特許文献】
【０００７】
【特許文献１】特許第４１７８９９２号
【発明の概要】
【発明が解決しようとする課題】
【０００８】
しかしながら、上記特許文献１の車両用空調装置には、以下のような問題があった。
即ち、送風部に、十字状のフィルタ支持部材を設けた場合、設計上、フィルタ部材から送風部までの距離が大きくなるような状況の時に、フィルタ支持部材が上下方向へ大型化してしまう。
【０００９】
また、上記により、送風部は、フィルタ部材との間の距離の影響を受けることになるので、送風部の構成を簡略化することや、送風部の汎用化を図ることが困難であった。
【００１０】
そこで、本発明は、上記した問題点を解決することを、主な目的としている。
【課題を解決するための手段】
【００１１】
上記課題を解決するために、本発明は、
空調装置本体の入側に、空調用空気を取込む空気取込部と、
該空気取込部から取込んだ空調用空気を下流側へ送風する送風部と、が上下に設置されると共に、
空調用空気を浄化するフィルタ部材が、前記空気取込部の内部に設置された車両用空調装置において、
前記フィルタ部材の下方に、フィルタ部材の下面側を支持可能なフィルタ支持部が設けられ、
該フィルタ支持部が、少なくともその一部に、側面視で前記フィルタ部材の下面側へ向けて上がり勾配に傾斜する傾斜形状部を有するものとされたことを特徴とする。
【発明の効果】
【００１２】
本発明によれば、上記構成によって、以下のような作用効果を得ることができる。
即ち、フィルタ部材の下方にフィルタ支持部を設けて、フィルタ部材の下面側を支持可能とすることにより、フィルタ部材を収容保持するためのフィルタケースや、フィルタ部材自体の強度を上げるための補強手段（エンドプレート（補強板）やホットメルト（溶かした樹脂による部分補強））などをなくすことができるようになるので、その分、空調装置本体の軽量化や低価格化などを図ることが可能となる。
フィルタ支持部を、少なくともその一部に傾斜形状部を有するものとすることにより、フィルタ支持部の高さ寸法を傾斜形状部の上下方向の長さによって設定することができるため、空気取込部や送風部などの上下方向の寸法に合わせてフィルタ支持部を無理なく設計することが可能となる。そして、フィルタ支持部を簡略化することなども可能となる。
また、フィルタ支持部が傾斜形状部を有することにより、例えば、空気取込部に対してフィルタ部材を着脱する際に、傾斜形状部を、（スムーズに着脱できるようにするための）ガイド部や退避部などとして利用することが可能となる。
更に、フィルタ支持部は、傾斜形状部の上縁部によって、フィルタ部材の下面側を支持可能となるので、フィルタ部材に対するフィルタ支持部の接触面積を小さくして、フィルタ部材の風流れを確保することができるようになり、フィルタ部材の集塵能力の低下を防止することができる。
【図面の簡単な説明】
【００１３】
【図１】本発明の実施例にかかる車両用空調装置の全体斜視図である。
【図２】図１の空調装置本体の縦断面図である。
【図３】図１の空気取込部と送風部との分解斜視図である。
【図４】図１の空気取込部と送風部との組み合わせ状態の縦断面図である。
【図５】図４の空気取込部の縦断面図である。
【図６】図３のフィルタ部材の斜視図である。
【図７】空気取込部にフィルタ部材を挿入する状態を示す斜視図である。
【図８】空気取込部を底面側から見た斜視図である。
【図９】図８の空気取込部を異なる角度から見た底面側の斜視図である。
【図１０】空気取込部を斜め上方から見た分解斜視図である。
【図１１】図１０の空気取込部を底面側から見た分解斜視図である。
【図１２】空気取込部の分解状態の斜視図である。
【発明を実施するための形態】
【００１４】
以下、本実施の形態、および、それを具体化した実施例を、図面を用いて詳細に説明する。
図１〜図１２は、この実施の形態の実施例およびその変形例を示すものである。
【実施例１】
【００１５】
＜構成＞以下、構成について説明する。
図１の全体斜視図、図２の断面図に示すように、自動車などの車両に、車室内の温度を調整するための空調装置１（車両用空調装置）を設ける。
【００１６】
この空調装置１は、空調装置本体２の入側に、空調用空気３を取込むための空気取込部４と、この空気取込部４から取込んだ空調用空気３を下流側へ送るための送風部５とを、有するものとする。これら、空気取込部４と送風部５とは、それぞれ別個の構成とされる（あるいは、別ユニットとして構成される）。そして、空気取込部４と送風部５とを上下に配置する（図３の分解斜視図、参照）。
【００１７】
そして、図４（図５）に示すように、上記した空気取込部４の内部に対して、空気取込部４から取込んだ空調用空気３を浄化するためのフィルタ部材６を設置する。
【００１８】
ここで、上記についての補足説明を行う。
上記した「車両用空調装置」は、文字通り、車両に設けられる空調装置１のことである。
【００１９】
上記した「空調装置本体２」は、空調装置１の本体部分を構成するものである。空調装置本体２は、図２に示すように、少なくとも、空調用空気３が通るようにした中空の空調ケースの内部に、空調用空気３を冷却するための冷却用熱交換器７（エバポレータなど）と、空調用空気３を加熱するための加熱用熱交換器８（ヒーターコアやＰＴＣヒーターなど）とを有するものとされる。また、車室内の各部に空調用空気３を吹き出すための出口部を適宜有するものとされる。
なお、空調装置本体２については、周知であるため、これ以上の説明を省略する。
【００２０】
上記した「空調用空気３」は、空調装置１によって温度調整される空気、または、温度調整された空気のことである。
【００２１】
上記した「空気取込部４」は、文字通り、空調装置本体２へ空調用空気３を取込むための部分である。空気取込部４は、外気取入口部４ａと内気取入口部４ｂとを有するケース部４ｃと、外気取入口部４ａおよび内気取入口部４ｂを切替える入口ドア部４ｄと、を有するもの（インテークユニット、または、内外気切替ユニットなど）とされる。ケース部４ｃの下部には、送風部５に対する取付部４ｅが設けられる。
【００２２】
上記した「送風部５」は、文字通り、空気取込部４から取込んだ空調用空気３を空調装置本体２へ向けて送るものであり、図３に示すように、少なくとも、ファン５ａと、このファン５ａを駆動するモータなどの駆動装置５ｂと、ファン５ａおよび駆動装置５ｂを収容するケース部５ｃと、を有するもの（ファンユニットなど）とされる。ケース部５ｃの上部には、空気取込部４に対する取付部５ｄが設けられる。この場合、ファン５ａは、上下方向に延びる回転中心を有する筒状の遠心式ファンなどとされている。
【００２３】
上記した「フィルタ部材６」は、少なくとも、集塵機能を備えたものなどとされる。なお、フィルタ部材６は、脱臭機能や抗菌機能などを備えることもできる。この場合、フィルタ部材６は、他数枚の不織布を重ね合わせて形成された、平面視ほぼ矩形状のものなどとされている。但し、フィルタ部材６は、不織布によるものに限るものではない。このフィルタ部材６は、空気取込部４のケース部４ｃにおける、取付部４ｅよりも上側の部分（フィルタ設置部４ｆ）に設置される。これに対し、フィルタ設置部４ｆは、内部にフィルタ部材６を収容できるように、内周面がフィルタ部材６とほぼ同じ大きさの平面視ほぼ矩形状のものなどとされている。
【００２４】
そして、以上のような基本的な構成に対し、この実施例のものでは、以下のような構成を備えるようにしている。
【００２５】
（構成１）
上記フィルタ部材６の下方に、フィルタ部材６の下面側を支持可能なフィルタ支持部２１が設けられるようにする。
そして、このフィルタ支持部２１が、少なくともその一部に、側面視で上記フィルタ部材６の下面側へ向けて上がり勾配に傾斜する傾斜形状部２２を有するものとされる。
【００２６】
（補足説明１）
ここで、上記した「フィルタ支持部２１」は、文字通り、フィルタ部材６の下面側を支持するものである。即ち、フィルタ部材６の上から下へ向かう風流れの中（しかも下流側）に配設されるものである。なお、フィルタ支持部２１については、後述する。
【００２７】
上記した「少なくともその一部」は、傾斜形状部２２が、フィルタ支持部２１の全部、または、一部に設けられることである。傾斜形状部２２は、フィルタ支持部２１に対して、少なくとも１箇所以上設けられる。
【００２８】
上記した「支持可能」は、実際に支持すること、および、必要な場合に支持できるようになっていること、を含んでいる。
【００２９】
上記した「傾斜形状部２２」は、文字通り、傾斜した形状の部分のことである。この場合、傾斜形状部２２は、側面視でほぼ一定の幅を有して、全体として斜めに傾けられたような一様の傾斜を有するものを指している。また、傾斜形状部２２の傾斜形状は、側面視で、直線的なものであっても、曲線的なものであっても良い。また、傾斜形状部２２は、その途中に傾斜角度が変更される部分などがあっても良い。この場合には、傾斜角度が一定の直線的な傾斜形状とされている。
【００３０】
より具体的には、この場合、フィルタ支持部２１は、２つの傾斜形状部２２を山型（あるいは、逆Ｖ字状）に組合せたものとされている。これにより、フィルタ支持部２１は、側面視で、山型の頂部の一箇所でフィルタ支持部２１の下面を支持可能なものとなる。この山型のフィルタ支持部２１は、その上縁部２１ａがフィルタ部材６の下面の中央部（例えば、車両前後方向に二等分した位置）に位置するような均等な傾斜を有するものとされている。また、この山型のフィルタ支持部２１は、傾斜形状部２２が、水平線に対して１５度程度の緩い傾斜を有するものなどとされている。但し、上記した２つの傾斜形状部２２は、不均等なものとしても良い。なお、フィルタ支持部２１の上縁部２１ａは、（後述するような、点接触や線接触の状態に近いといえる程度であれば）横方向に僅かに延ばすようにしても良い。
【００３１】
また、特に図示しないが、上記したフィルタ支持部２１は、例えば、４つの傾斜形状部２２を二重の山型（あるいは、逆Ｗ字状）に組合せたものなどとしても良い。これにより、フィルタ支持部２１は、側面視で、２つの山型の二箇所の頂部でフィルタ支持部２１の下面を支持可能なものとなる。この二重山型のフィルタ支持部２１は、その上縁部２１ａがフィルタ部材６の下面を（車両前後方向に）三等分した位置に存在するような均等な傾斜を有するものなどとする。但し、上記した４つの傾斜形状部２２は、不均等なものとしても良い。
【００３２】
（構成２）
図６に示すように、上記フィルタ部材６が、一方向へ延びる凹凸形状部６ａを有するものとされる。
これに対し、図５に示すように（図７〜図９も併せて参照のこと）、上記フィルタ支持部２１は、上記傾斜形状部２２の上縁部２１ａが、上記フィルタ部材６の凹凸形状部６ａの延設方向に対して、直交する方向に並設されるようにする。
【００３３】
（補足説明２）
ここで、上記した「凹凸形状部６ａ」は、文字通り、凹凸形状をした部分のことである。この凹凸形状部６ａにより、フィルタ部材６は、複数本の凹溝部を並設した形状のものなどとされる。この場合には、凹凸形状部６ａは、上記した不織布を波形に折り曲げたようなものとされている。この凹凸形状部６ａは、フィルタ部材６の下面側および上面側に車両前後方向へ延びるように設けられており、車幅方向に並設されている。
【００３４】
上記した「直交」は、この場合、傾斜形状部２２の上縁部２１ａが車幅方向に沿って位置するよう並べられること、または、車幅方向に沿って延設されることである。但し、凹凸形状部６ａの延設方向と、傾斜形状部２２の上縁部２１ａの並設方向とは、上記に限るものではなく、例えば、逆であっても良い（凹凸形状部６ａが車幅方向へ延び、傾斜形状部２２の上縁部２１ａが車両前後方向に並設されるようにしても良い）。なお、直交は、正確な９０度に限るものではなく、若干のズレが有っても許容できる。
【００３５】
（構成３）
図８、図９に示すように、上記フィルタ支持部２１が、平面視（または底面視）で格子状のものとされる（格子状フィルタ支持部）。
【００３６】
（補足説明３）
ここで、上記した「格子状」は、文字通り、縦桟部２１ｂと横桟部２１ｃとを交差させて組み合わせたような面状のものとされる（面状格子部）。この場合、格子の向きは、車両前後方向へ延びる縦桟部２１ｂと、車幅方向へ延びる横桟部２１ｃとを組み合わせたものとされている。但し、格子の向きは、これに限るものではない。また、縦桟部２１ｂと横桟部２１ｃとは、最低限の数だけ設けるようにしている。
【００３７】
そして、上記した傾斜形状部２２は、縦桟部２１ｂに対して設けられている。即ち、縦桟部２１ｂは、側面視、山型のものとされている。また、上記した傾斜形状部２２の上縁部２１ａに対し、横桟部２１ｃを設けるようにしても良いが、この場合には、上縁部２１ａには、横桟部２１ｃを設けないようにしている。
【００３８】
（構成４）
図５に示すように、上記フィルタ支持部２１が、上記空気取込部４の内部に設けられる。
【００３９】
（補足説明４）
ここで、上記した「空気取込部４の内部に設けられ」は、フィルタ支持部２１が、空気取込部４の内部に、空気取込部４と一体的に形成された固定のものとされることである。この場合、フィルタ支持部２１は、空気取込部４における、フィルタ設置部４ｆの下部に設けられる。
【００４０】
なお、空気取込部４の（後側などの）側面には、フィルタ支持部２１の上側に、フィルタ部材６を出し入れするための出入用開口部３１が形成され、この出入用開口部３１には、閉止板３２（フィルタカバー）が着脱可能に設けられている。なお、フィルタ部材６は、メンテナンスなどのために、１年に１回程度の頻度で、この出入用開口部３１から出し入れすることが想定されている。
【００４１】
（構成５）
図１０（〜図１２）に示すように、上記空気取込部４が左右に分割されるようにする。これに応じて、上記フィルタ支持部２１も左右に分割されるようにする。
そして、フィルタ支持部２１の分割部分に、互いに当接状態で嵌合可能な補強桟部３５が設けられるようにする。
【００４２】
（補足説明５）
ここで、上記した「左右に分割され」は、文字通り、空気取込部４やフィルタ支持部２１が、左右の分割片（左分割片を（Ｌ）で、右分割片を（Ｒ）で示す）を組合せた構造を有することである。左右の分割片の分割部分の合せ部には、嵌合部３６ａや、固定用の爪固定部３６ｂなどが適宜設けられる。
【００４３】
上記した「補強桟部３５」は、左右の分割片の分割部分の合せ部に沿ってそれぞれ車両前後方向へ延び、互いに当接されるものとされる。この場合、各補強桟部３５は、格子状のフィルタ支持部２１を構成する各桟部と断面積が同じか、または、それよりも断面積が大きなものとされる。
【００４４】
そして、補強桟部３５どうしの合せ部には、互いに嵌合可能な嵌合部３５ａが設けられる。この嵌合部３５ａは、特に明確には図示しないが、補強桟部３５の対向面に沿って形成された凹凸部などとされる。
【００４５】
（構成６）
図１２に示すように、上記空気取込部４に、上記フィルタ部材６の下面を、上記フィルタ支持部２１から浮かせた状態で保持可能な第二フィルタ支持部３８を設ける。
【００４６】
（補足説明６）
ここで、上記した「浮かせた状態」は、文字通り、フィルタ部材６の下面が、フィルタ支持部２１の傾斜形状部２２の上縁部２１ａと、上下方向に対して僅かに離れることにより、互いにギリギリ接触しない状態などとなっていることである。
【００４７】
上記した「第二フィルタ支持部３８」は、特に、フィルタ部材６の風流れと無関係な位置に設けられるようにする。例えば、フィルタ部材６の側面などを支持するものなどとされる（フィルタ側面支持部）。この場合には、フィルタ部材６の上面側の周縁部に沿って、横方向へ向け張出形成された、耳部６ｂを支持するものとされる（耳部支持部）。この場合、この耳部６ｂは、全周に亘って張出すフランジ状のものとされている。また、第二フィルタ支持部３８は、耳部６ｂの４つのコーナー部分を下側から支持するようなものとされている。但し、第二フィルタ支持部３８は、耳部６ｂのコーナー部分を支持するもののみに限るものではない。
【００４８】
＜作用＞この実施例によれば、以下のような作用を得ることができる。
駆動装置５ｂによって送風部５のファン５ａを回転駆動すると、車外の空気（外気）は、外気取入口部４ａから、また、車内の空気（内気）は、空気取込部４から、空気取込部４へ取り込まれる。この外気と内気との選択は、入口ドア部４ｄの切替えによって行われる。また、空気取込部４の内部では、フィルタ部材６によって取込んだ空調用空気３の浄化が行われる。
【００４９】
そして、空気取込部４に取り込まれた空調用空気３は、送風部５を介して、空調装置本体２へと送られ、空調装置本体２の内部で、冷却用熱交換器７によって冷却される。
【００５０】
冷却用熱交換器７によって冷却された空調用空気３は、そのまま車室内の各部へ吹き出されるか、加熱用熱交換器８で加熱された後に車室内の各部へ吹き出されるか、あるいは、冷却用熱交換器７によって冷却された空調用空気３と加熱用熱交換器８で加熱された空調用空気３とが混合されることにより、温度調整を行った後に、車室内の各部へ吹き出されるかする。
【００５１】
＜効果＞この実施例によれば、以下のような効果を得ることができる。
（効果１）
フィルタ部材６の下方にフィルタ支持部２１を設けて、フィルタ部材６の下面側を支持可能とすることにより、フィルタ部材６を収容保持するためのフィルタケースや、フィルタ部材６自体の強度を上げるための補強手段（エンドプレート（補強板）やホットメルト（溶かした樹脂による部分補強））などをなくすことができるようになるので、その分、空調装置本体２の軽量化や低価格化などを図ることが可能となる。
【００５２】
フィルタ支持部２１を、少なくともその一部に傾斜形状部２２を有するものとすることにより、フィルタ支持部２１の高さ寸法を傾斜形状部２２の上下方向の長さによって設定することができるため、空気取込部４や送風部５などの上下方向の寸法に合わせてフィルタ支持部２１を無理なく設計することが可能となる。そして、フィルタ支持部２１を簡略化することなども可能となる。
【００５３】
また、フィルタ支持部２１が傾斜形状部２２を有することにより、例えば、空気取込部４に対してフィルタ部材６を着脱する際に、傾斜形状部２２を、（スムーズに着脱できるようにするための）ガイド部や退避部などとして利用することが可能となる。
【００５４】
更に、フィルタ支持部２１は、傾斜形状部２２の上縁部２１ａによって、フィルタ部材６の下面側を支持可能となるので、フィルタ部材６に対するフィルタ支持部２１の接触面積を小さくして、フィルタ部材６の風流れを確保することができるようになり、フィルタ部材６の集塵能力の低下を防止することができる。
【００５５】
（効果２）
フィルタ支持部２１における傾斜形状部２２の上縁部２１ａの並設方向とフィルタ部材６の凹凸形状部６ａの延設方向とが直交することにより、フィルタ部材６が変形する方向に対して、傾斜形状部２２の上縁部２１ａが最も効果的にフィルタ部材６の変形を抑制するように設置されることになる。しかも、傾斜形状部２２の上縁部２１ａは、上記したように、より少ない面積でフィルタ部材６を支持することが可能であるため、フィルタ部材６の変形を抑制しつつ、フィルタ部材６の風流れを確保することができるようになり、効果的である。
【００５６】
特に、傾斜形状部２２を、山型のものとすることにより、フィルタ部材６に対するフィルタ支持部２１の接触面積が最小限になるので、より効果的にフィルタ部材６の集塵能力の低下を防止することが可能となる。
【００５７】
（効果３）
フィルタ支持部２１を格子状のものとしたことにより、フィルタ部材６を設置しない仕様にする場合でも、格子状のフィルタ支持部２１が有ることによって、例えば、枯葉などの大きな異物を捕集して送風部５よりも下流側へ侵入させないようにすることができる（異物侵入防止機能）。また、格子状とすることにより、フィルタ支持部２１の軽量化を図ることができる。
【００５８】
（効果４）
フィルタ支持部２１を、空気取込部４の内部に設けることにより、同じく空気取込部４内に設置されるフィルタ部材６に対し、最も近い位置にフィルタ支持部２１を設置することができるので、フィルタ部材６から、その下側に設置される送風部５までの距離が大きくなるような場合であっても、傾斜形状部２２の高さ寸法を抑えることができるようになり、フィルタ支持部２１の大型化を招くことがない。
【００５９】
また、上記により、送風部５は、フィルタ部材６との距離の影響を受けなくなるので、また、フィルタ支持部２１の影響をほとんど受けることがなくなるので、送風部５の構成を小型化したり簡略化したりすることが可能となると共に、送風部５の汎用化（多車種共用化）を図ることなどが可能となる。
【００６０】
（効果５）
フィルタ支持部２１の分割部分に設けられた一対の補強桟部３５を互いに当接嵌合させることによって、フィルタ支持部２１の強度向上（フィルタ支持部２１自体の強度向上や、フィルタ部材６に対する支持強度向上など）を図ることができる。これにより、上記したように、フィルタ支持部２１を、傾斜形状部２２を有するものとしたり、格子状のものとしたりしても、必要な強度を確保することが可能となる。
【００６１】
（効果６）
空気取込部４に、上記フィルタ部材６の下面を、上記フィルタ支持部２１から浮かせた状態で保持可能な第二フィルタ支持部３８を設けたことにより、フィルタ部材６が経年劣化などで変形される前には、フィルタ部材６の下面側がフィルタ支持部２１によって支持されないようにすると共に、フィルタ部材６が経年劣化などである程度変形した時に、フィルタ部材６の下面側がフィルタ支持部２１によって支持されるようにすることができる。即ち、フィルタ部材６の下面側を支持しなくても良い間は、支持させずに、支持が必要になった時に確実に支持させる構造とすることができる。
【００６２】
これにより、変形前のフィルタ部材６に対するフィルタ支持部２１の接触をなくして、上記したフィルタ部材６の風流れを確保し、フィルタ部材６の集塵能力の低下をほとんどなくすことが可能となる。また、フィルタ支持部２１の設置精度を下げて空気取込部４やフィルタ支持部２１の設計を容易化することも可能となる。
【００６３】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６４】
１    車両用空調装置
２    空調装置本体
３    空調用空気
４    空気取込部
５    送風部
６    フィルタ部材
６ａ  凹凸形状部
２１  フィルタ支持部
２１ａ  上縁部
２２  傾斜形状部
３５  補強桟部
３８  第二フィルタ支持部
【図１】
2014231296.tif 000003
【図２】
2014231296.tif 000004
【図３】
2014231296.tif 000005
【図４】
2014231296.tif 000006
【図５】
2014231296.tif 000007
【図６】
2014231296.tif 000008
【図７】
2014231296.tif 000009
【図８】
2014231296.tif 000010
【図９】
2014231296.tif 000011
【図１０】
2014231296.tif 000012
【図１１】
2014231296.tif 000013
【図１２】
2014231296.tif 000014